(57)【要約】【課題】単独で使用することができ、パンツを介さずに使用者の肌に密着させることができる使い捨て体液吸収パッドを提供する。【解決手段】透液性表面シート２および不透液性裏面シート３と、表裏面シート２，３の間に介在する吸液性コア４とから構成された縦長の使い捨て体液吸収パッド１Ａであり、裏面シート３の外側に位置してパッド１Ａの中間域６から後域７に向かって延びる外面シート１１が、パッド１Ａの両側部１０に固着された固定両側部１４と、パッド１Ａの後端部９に固着された固定端部１５と、固定両側部１４と固定端部１５との間に位置してパッド１Ａから遊離する自由部１６とを有し、前域５の側から後域７の側へ向かって開口するポケットが、裏面シート３と外面シート１１との間に形成されている。【選択図】      図１
2004174209.tif 000002
【特許請求の範囲】
【請求項１】
縦方向に前域および後域と、前記前後域の間に位置する中間域とを備え、肌当接側に位置する透液性表面シートおよび肌非当接側に位置する不透液性裏面シートと、前記表裏面シートの間に介在して前記前後域間に延びる吸液性コアとから構成され、前記吸液性コアの両端縁の外側に位置して横方向へ延びる前後端部と、前記吸液性コアの両側縁の外側に位置して横方向へ延びる両側部とを有する縦長の使い捨て体液吸収パッドにおいて、
前記裏面シートの外面を覆う外側シートが、前記前後域と前記中間域とのうちの少なくとも該中間域に配置され、前記外側シートが、前記パッドの両側部に沿って縦方向へ延びる固定両側部と、前記固定両側部の間に位置して前記パッドから遊離する自由部とを有し、前記パッドの使用者がその手を挿入可能な挿入部が、前記裏面シートと前記外側シートの自由部との間に形成されていることを特徴とする前記パッド。
【請求項２】
前記外側シートが、前記前域と前記中間域とのうちの少なくとも該中間域から前記後域へ向かって延びるとともに、前記パッドの後端部に沿って横方向へ延びる固定端部を有し、前記パッドでは、前記自由部が前記固定両側部と前記固定端部との間に位置し、前記挿入部が前記前域の側から前記後域の側へ向かって開口するポケットである請求項１記載のパッド。
【請求項３】
前記パッドの両側部に沿って縦方向へ延びる伸縮性弾性部材が、前記前後域と前記中間域とのうちの少なくとも該中間域に収縮可能に取り付けられている請求項１または請求項２に記載のパッド。
【請求項４】
前記パッドの前後端部が、前記吸液性コアの上方に位置するように該吸液性コアの両端縁から縦方向内方へ向かって延出し、前記パッドの両側部が、前記吸液性コアの上方に位置するように該吸液性コアの両側縁から横方向内方へ向かって延出し、前記前後端部と前記両側部とが、前記吸液性コアの周囲を囲む弾性伸縮可能な周壁を形成している請求項１または請求項２に記載のパッド。
【請求項５】
前記周壁には、その周方向へ実質的に環状を画く伸縮性弾性部材が収縮可能に取り付けられている請求項４記載のパッド。
【請求項６】
前記前域と前記中間域の前半分とに位置する前記吸液性コアの肌当接側から上方への隆起高さが、前記中間域の後半分と前記後域とに位置する前記吸液性コアの肌当接側から上方への隆起高さよりも大きい請求項１ないし請求項５いずれかに記載のパッド。
【請求項７】
前記中間域には、前記表面シートを内側にした状態で前記パッドを２つに折り畳むための横方向へ延びる折曲案内部が形成され、前記折曲案内部における前記吸液性コアの剛性が、前記折曲案内部を除く前記吸液性コアの残余の部位のそれよりも低い請求項１ないし請求項６いずれかに記載のパッド。
【請求項８】
前記中間域には、前記表面シートを内側にした状態で前記パッドを２つに折り畳むための横方向へ延びる折曲案内部が形成され、前記折曲案内部が、前記吸液性コアを除く前記表裏面シートから形成されている請求項１ないし請求項６いずれかに記載のパッド。
【請求項９】
前記外側シートが位置する前記吸液性コアの部位には、前記外側シートの周縁近傍に沿って肌当接側から上方へ隆起する隆起部が形成され、前記隆起部における前記吸液性コアの表裏面シート間の厚み寸法が、該隆起部を除く前記吸液性コアの残余の部位のそれよりも大きい請求項１ないし請求項８いずれかに記載のパッド。
【請求項１０】
前記外側シートには、前記表裏面シートの色調と異なる色調の着色が施されている請求項１ないし請求項９いずれかに記載のパッド。
【請求項１１】
前記外側シートが、所定の表示要素を有する請求項１ないし請求項１０いずれかに記載のパッド。
【発明の詳細な説明】
【０００１】
【発明の属する技術分野】
本発明は、使い捨て体液吸収パッドに関する。
【０００２】
【従来の技術】
縦方向に前域および後域と、前後域の間に位置する中間域とを備え、透液性表面シートおよび不透液性裏面シートと、表裏面シートの間に介在して前後域間に延びる吸液性コアとから構成され、横方向へ延びる前後端部と、縦方向へ延びる両側部とを有する縦長矩形の使い捨て体液吸収パッドは公知である（特許文献１参照）。
【０００３】
特許文献１に開示のパッドの裏面シートには、環状の細長いゴムが取り付けられている。ゴムは、パッドの中間域における横方向中央に配置されている。ゴムは、その縦方向両端縁部が裏面シートの外面に固着され、両端縁部間に延びる中央部が裏面シートに固着されておらず、裏面シートから遊離している。このパッドを使用するには、それをパンツの内側にのせた後にパンツを装着する。このパッドは、裏面シートの外面に取り付けられたゴムがパンツの内側に接するので、ゴムが滑り止めとなってパンツに対するパッドのずれを防ぐことができる。
【０００４】
【特許文献１】
特開２００２−１１９５２８号公報（第２−３頁、第１図）
【０００５】
【発明が解決しようとする課題】
特許文献１に開示のパッドは、その使用にパンツを利用しなければならず、パッドを単独で使用することができない。また、このパッドは、その使用時にパッドをパンツにのせるだけなので、パッドそれ自体が使用者の肌に密着することはなく、パンツを介してパッドを使用者の肌に密着させる必要がある。このパッドは、パンツが使用者の股間部からずれ下がると、それにともなってパッドも股間部からずれ下がり、パッドが使用者の肌から離間してパッドに体液を吸収させることができない。
【０００６】
本発明の目的は、単独で使用することができ、パンツを介さずに使用者の肌に密着させることができる使い捨て体液吸収パッドを提供することにある。
【０００７】
【課題を解決するための手段】
前記課題を解決するための本発明の前提は、縦方向に前域および後域と、前記前後域の間に位置する中間域とを備え、肌当接側に位置する透液性表面シートおよび肌非当接側に位置する不透液性裏面シートと、前記表裏面シートの間に介在して前記前後域間に延びる吸液性コアとから構成され、前記吸液性コアの両端縁の外側に位置して横方向へ延びる前後端部と、前記吸液性コアの両側縁の外側に位置して横方向へ延びる両側部とを有する縦長の使い捨て体液吸収パッドである。
【０００８】
前記前提における本発明の特徴は、前記裏面シートの外面を覆う外側シートが、前記前後域と前記中間域とのうちの少なくとも該中間域に配置され、前記外側シートが、前記パッドの両側部に沿って縦方向へ延びる固定両側部と、前記固定両側部の間に位置して前記パッドから遊離する自由部とを有し、前記パッドの使用者がその手を挿入可能な挿入部が、前記裏面シートと前記外側シートの自由部との間に形成されていることにある。
【０００９】
本発明は、以下の実施態様を有する。
（１）前記外側シートが、前記前域と前記中間域とのうちの少なくとも該中間域から前記後域へ向かって延びるとともに、前記パッドの後端部に沿って横方向へ延びる固定端部を有し、前記パッドでは、前記自由部が前記固定両側部と前記固定端部との間に位置し、前記挿入部が前記前域の側から前記後域の側へ向かって開口するポケットである。
（２）前記パッドの両側部に沿って縦方向へ延びる伸縮性弾性部材が、前記前後域と前記中間域とのうちの少なくとも該中間域に収縮可能に取り付けられている。
（３）前記パッドの前後端部が、前記吸液性コアの上方に位置するように該吸液性コアの両端縁から縦方向内方へ向かって延出し、前記パッドの両側部が、前記吸液性コアの上方に位置するように該吸液性コアの両側縁から横方向内方へ向かって延出し、前記前後端部と前記両側部とが、前記吸液性コアの周囲を囲む弾性伸縮可能な周壁を形成している。（４）前記周壁には、その周方向へ実質的に環状を画く伸縮性弾性部材が収縮可能に取り付けられている。
（５）前記前域と前記中間域の前半分とに位置する前記吸液性コアの肌当接側から上方への隆起高さが、前記中間域の後半分と前記後域とに位置する前記吸液性コアの肌当接側から上方への隆起高さよりも大きい。
（６）前記中間域には、前記表面シートを内側にした状態で前記パッドを２つに折り畳むための横方向へ延びる折曲案内部が形成され、前記折曲案内部における前記吸液性コアの剛性が、前記折曲案内部を除く前記吸液性コアの残余の部位のそれよりも低い。
（７）前記中間域には、前記表面シートを内側にした状態で前記パッドを２つに折り畳むための横方向へ延びる折曲案内部が形成され、前記折曲案内部が、前記吸液性コアを除く前記表裏面シートから形成されている。
（８）前記外側シートが位置する前記吸液性コアの部位には、前記外側シートの周縁近傍に沿って肌当接側から上方へ隆起する隆起部が形成され、前記隆起部における前記吸液性コアの表裏面シート間の厚み寸法が、該隆起部を除く前記吸液性コアの残余の部位のそれよりも大きい。
（９）前記外側シートには、前記表裏面シートの色調と異なる色調の着色が施されている。
（１０）前記外側シートが、所定の表示要素を有する。
【００１０】
【発明の実施の形態】
添付の図面を参照し、本発明に係る使い捨て体液吸収パッドの詳細を説明すると、以下のとおりである。
【００１１】
図１は、一例として示すパッド１Ａの部分破断斜視図であり、図２，３は、図１のＩＩ−ＩＩ線矢視断面図と、図１のＩＩＩ−ＩＩＩ線矢視断面図とである。図１では、横方向を矢印Ｘ、縦方向を矢印Ｙで示し、厚み方向を矢印Ｚで示す。なお、表裏面シート２，３や外側シート１１の内面とは、コア４に対向する面をいい、それらシート２，３，１１の外面とは、コア４に非対向の面をいう。
【００１２】
パッド１Ａは、肌当接側に位置する透液性表面シート２と、肌非当接側に位置する不透液性裏面シート３と、表裏面シート２，３の間に介在する吸液性コア４とから構成されている。パッド１Ａは、縦方向へ長い略矩形を呈し、縦方向に前域５および後域７と、前後域５，７の間に位置する中間域６とを有する。パッド１Ａは、コア４の両端縁４ａの外側に位置して横方向へ延びる前後端部８，９と、コア４の両側縁４ｂの外側に位置して縦方向へ延びる両側部１０とを有する。パッド１Ａには、裏面シート３の外側に配置されてシート３の外面を覆う外側シート１１が取り付けられている。
【００１３】
コア４は、パッド１Ａの前後域５，７間に延び、表裏面シート２，３の内面に接合されている。コア４は、フラッフパルプと高吸収性ポリマーとの混合物、または、フラッフパルプと高吸収性ポリマーと熱可塑性合成樹脂繊維との混合物であり、所定の厚みに圧縮されている。ゆえに、コア４は、その剛性が表裏面シート２，３のそれよりも高い。コア４は、それの型崩れを防止するため、全体がティッシュペーパーや親水性繊維不織布等の透液性シートに包被されていることが好ましい。
【００１４】
中間域６の両側部１０には、縦方向へ延びる複数条の伸縮性弾性部材１２が収縮可能に取り付けられている。弾性部材１２は、表面シート２と裏面シート３との間に介在し、それらシート２，３の内面に固着されている。弾性部材１２は、中間域６のみならず、前域５と後域７とに延びていてもよい。図１では、弾性部材１２が縦方向内方へ収縮し、パッド１Ａが表面シート２を内側にして縦方向へ湾曲している。
【００１５】
外側シート１１は、中間域６から後域７に向かって延びるとともに、パッド１Ａの後端部９に達している。外側シート１１には、実質的に非伸縮性の疎水性繊維不織布が使用されている。なお、外側シート１１は、前域５から後域７に向かって延びていてもよい。外側シート１１には、表裏面シート２，３の色調と異なる色調の着色が施されている（着色の図示は省略）。たとえば、表裏面シート２，３の色調が乳白色であれば、外側シート１１の色調は赤色や青色、黄色である。外側シート１１には、所定の表示要素１３が形成されている。表示要素１３は、外側シート１１の外面に印刷された兎の顔のイラストである。表示要素１３は、イラストの他に、文字や図形、記号であってもよい。
【００１６】
外側シート１１は、パッド１Ａの両側部１０に固着された固定両側部１４と、パッド１Ａの後端部９に固着された固定端部１５と、固定両側部１４と固定端部１５との間に位置する自由部１６とを有する。固定両側部１４と固定端部１５とでは、外側シート１１の内面が裏面シート３の外面に固着されている。自由部１６は、裏面シート３に固着されておらず、裏面シート３から遊離している。裏面シート３と外側シート１１の自由部１６との間には、前域５の側から後域７の側へ向かって開口するポケットＰ１（挿入部）が形成されている（図２，３参照）。ポケットＰ１は、後記するパッド１Ａの使用者２０がその手２１を入れることが可能な大きさを有する。
【００１７】
前後端部８，９は、コア４の両端縁４ａから縦方向外方へ延びる表裏面シート２，３の部分から形成されている。前後端部８，９では、表裏面シート２，３の部分が互いに重なり合い、部分においてそれらシート２，３の内面どうしが固着されている。両側部１０は、コア４の両側縁４ｂから横方向外方へ延びる表裏面シート２，３の部分から形成されている。両側部１０では、表裏面シート２，３の部分が互いに重なり合い、部分においてそれらシート２，３の内面どうしが固着されている。
【００１８】
図４，５は、使用状態にあるパッド１Ａの斜視図と、廃棄するために折り畳まれた使用後のパッド１Ａの斜視図とである。図４では、パッド１Ａの使用者２０を二点鎖線で示す。
【００１９】
パッド１Ａを使用するには、図４に示すように、使用者２０がポケットＰ１（挿入部）に手２１を入れ、中間域６が股間部２３に位置するように、パッド１Ａの表面シート２を自分の肌にあてがう。パッド１Ａは、前域５が使用者２０の腹部２２の側に当接し、後域７が使用者２０の臀部２４の側に当接するとともに、中間域６が使用者２０の股間部２３に当接する。使用者２０は、パッド１Ａをあてがった状態で表面シート２上に排尿する。尿は、表面シート２を透過してコア４に吸収、保持される。
【００２０】
パッド１Ａは、それを使用者２０自身が自分の肌にあてがうので、パッド１Ａを排尿位置に正確に密着させることができ、尿をパッド１Ａに確実に吸収させることができる。使用者２０は、ポケットＰ１に手２１を入れてパッド１Ａを保持することができるので、肌にあてがったパッド１Ａが股間部２３から不用意に落ちてしまうことはない。
【００２１】
パッド１Ａは、従来技術のそれと異なり、パンツを介してパッド１Ａを肌に密着させる必要はない。パッド１Ａは、その使用にパンツを利用する必要はなく、ポケットＰ１に手を入れてパッド１Ａを肌にあてがうだけなので、パッド１Ａの使用が簡単であることはもちろん、パッド１Ａ単独での使用が可能である。
【００２２】
パッド１Ａでは、外側シート１１に表裏面シート２，３の色調と異なる色調の着色が施され、かつ、兎の顔のイラストが印刷されているので、使用者２０が肌にあてがうべき面（表面シート２）を間違えることはなく、さらに、ポケットＰ１の存在を容易に認識することができる。
【００２３】
使用後のパッド１Ａを廃棄するには、図５に示すように、パッド１Ａを前域５から後域７に向かって縦方向へ折り畳み、外側シート１１の内面が外側となるように外側シート１１の内外面を反転させ、外側シート１１と表面シート２との間に形成されるポケットＰ１に折り畳まれたパッド１Ａを収納する。使用後のパッド１Ａは、ポケットＰ１によってその折り畳まれた状態が保持されるので、パッド１Ａを折り畳まれた状態のまま廃棄することができる。
【００２４】
図６は、他の一例として示す体液吸収パッド１Ｂの部分破断斜視図であり、図７，８は、図６のＶＩＩ−ＶＩＩ線矢視断面図と、図６のＶＩＩＩ−ＶＩＩＩ線矢視断面図とである。図６では、横方向を矢印Ｘ、縦方向を矢印Ｙで示し、厚み方向を矢印Ｚで示す。
【００２５】
パッド１Ｂは、透液性表面シート２および不透液性裏面シート３と、表裏面シート２，３の間に介在する吸液性コア４とから構成されている。パッド１Ｂは、縦方向に前後域５，７および中間域６を有し、コア４の両端縁４ａの外側に位置して横方向へ延びる前後端部８，９と、コア４の両側縁４ｂの外側に位置して縦方向へ延びる両側部１０とを有する。
【００２６】
パッド１Ｂには、裏面シート３の外面を覆う外側シート１１が取り付けられている。中間域６の両側部１０には、縦方向へ延びる複数条の伸縮性弾性部材１２が収縮可能に取り付けられている。弾性部材１２は、表裏面シート２，３の内面に固着されている。図６では、弾性部材１２が縦方向内方へ収縮し、パッド１Ｂが表面シート２を内側にして縦方向へ湾曲している。コア４は、図１のそれと同一のものであり、パッド１Ｂの前後域５，７間に延び、表裏面シート２，３の内面に接合されている。
【００２７】
外側シート１１は、中間域６に配置されている。外側シート１１には、弾性的な伸縮性を有する疎水性繊維不織布が使用されている。外側シート１１は、前後域５，７と中間域６とのうちの少なくとも中間域６に配置されていればよい。外側シート１１の色調は、表裏面シート２，３の色調と同一である。
【００２８】
外側シート１１は、パッド１Ｂの両側部１０に固着された固定両側部１４と、固定両側部１４の間に位置する自由部１６とを有する。固定両側部１４では、外側シート１１の内面が裏面シート３の外面に固着されている。自由部１６は、裏面シート３に固着されておらず、裏面シート３から遊離している。裏面シート３と外側シート１１の自由部１６との間には、パッド１Ｂの使用者２０がその手２１を入れることが可能な大きさの挿入部１７が形成されている（図７，８参照）。
【００２９】
外側シート１１の固定両側部１４を裏面シート３に固着するときは、外側シート１１が横方向へ非伸長状態にある。なお、外側シート１１を横方向へ伸長させた状態で固定両側部１４を裏面シート３に固着してもよい。
【００３０】
外側シート１１が位置するコア４の部位には、外側シート１１の周縁近傍に沿って表面シート２の側へ向かって隆起する隆起部１８が形成されている。隆起部１８におけるコア４の表裏面シート２，３間の厚み寸法は、隆起部１８を除くコア４の残余の部位のそれよりも大きい。隆起部１８は、実質的に環状を呈する。隆起部１８におけるコア４の厚み寸法を残余の部位のそれよりも大きくするには、コア４を形成するパルプや合成樹脂繊維、ポリマーの分量を残余の部位よりも隆起部１８で多くすればよい。
【００３１】
前後端部８，９では、表裏面シート２，３の部分が互いに重なり合い、部分においてそれらシート２，３の内面どうしが固着されている。両側部１０では、表裏面シート２，３の部分が互いに重なり合い、部分においてそれらシート２，３の内面どうしが固着されている。
【００３２】
このパッド１Ｂを使用するには、図４と同様に、使用者２０が挿入部１７に手２１を入れ、中間域６が股間部２３に位置するように、パッド１Ｂの表面シート２を肌にあてがう。パッド１Ｂは、前域５が使用者２０の腹部２２の側に当接し、後域７が使用者２０の臀部２４の側に当接するとともに、中間域６が使用者２０の股間部２３に当接する。使用者２０は、パッド１Ｂをあてがった状態で隆起部１８に囲繞された部位１９に排尿する。尿は、表面シート２を透過してコア４に吸収、保持される。パッド１Ｂでは、コア４に形成された隆起部１８が尿に対する障壁を形成するので、部位１９に排泄された尿のパッド１Ｂの外側への漏れを防ぐことができる。
【００３３】
パッド１Ｂは、それを使用者２０自身が自分の肌にあてがうので、パッド１Ｂを排尿位置に密着させることができ、尿をパッド１Ｂに確実に吸収させることができる。使用者２０は、挿入部１７に手２１を入れてパッド１Ｂを保持することができるので、肌にあてがったパッド１Ｂが股間部２３から不用意に落ちてしまうことはない。
【００３４】
パッド１Ｂは、その使用にパンツを利用する必要はなく、挿入部１７に手２１を入れてパッド１Ｂを肌にあてがうだけなので、パッド１Ｂの使用が簡単であるとともに、パッド１Ｂ単独での使用が可能である。パッド１Ｂは、外側シート１１に伸縮性の繊維不織布が使用されているので、挿入部１７に入れた手２１が外側シート１１に締め付けられ、手２１が挿入部１７から簡単に抜けてしまうことはない。
【００３５】
使用後のパッド１Ｂを廃棄するには、図示はしていないが、パッド１Ｂを前域５から後域７に向かって縦方向へ折り畳み、外側シート１１の内面が外側となるように外側シート１１の内外面を反転させ、表面シート２と外側シート１１との間に折り畳まれたパッド１Ｂを収納する。
【００３６】
図９は、他の一例として示す体液吸収パッド１Ｃの斜視図であり、図１０，１１は、図９のＸ−Ｘ線矢視断面図と、図９のＸＩ−ＸＩ線矢視断面図とである。図１では、横方向を矢印Ｘ、縦方向を矢印Ｙで示し、厚み方向を矢印Ｚで示す。
【００３７】
パッド１Ｃは、透液性表面シート２および不透液性裏面シート３と、表裏面シート２，３の間に介在する吸液性コア４とから構成されている。パッド１Ｃは、縦方向に前後域５，７および中間域６を有し、コア４の両端縁４ａの外側に位置して横方向へ延びる前後端部８，９と、コア４の両側縁４ｂの外側に位置して縦方向へ延びる両側部１０とを有する。
【００３８】
パッド１Ｃには、裏面シート３の外面を覆う外側シート１１が取り付けられている。コア４は、図１のそれと同一のものであり、パッド１Ｃの前後域５，７間に延び、表裏面シート２，３の内面に接合されている。裏面シート３は、疎水性繊維不織布２８と通気不透液性プラスチックフィルム２９とをラミネートした複合シートが使用されている。
【００３９】
外側シート１１は、中間域６から後域７に向かって延びるとともに、パッド１Ａの後端部９に達している。外側シート１１には、実質的に非伸縮性の疎水性繊維不織布が使用されている。外側シート１１には、表裏面シート２，３の色調と異なる色調の着色が施されている（着色の図示は省略）。外側シート１１の外面には、兎の顔のイラストが印刷されている。
【００４０】
外側シート１１は、パッド１Ｃの両側部１０に沿って縦方向へ延びる固定両側部１４と、パッド１Ｃの後端部９に沿って横方向へ延びる固定端部１５と、固定両側部１４と固定端部１５との間に位置する自由部１６とを有する。固定両側部１４は、コア４の両側縁４ｂ近傍に固着されている。固定端部１５は、後域９の側に延びるコア４の端縁４ａ近傍に固着されている。固定両側部１４と固定端部１５とでは、外側シート１１の内面が裏面シート３の外面に固着されている。自由部１６は、裏面シート３に固着されておらず、裏面シート３から遊離している。裏面シート３と外側シート１１の自由部１６との間には、前域５の側から後域７の側へ向かって開口するポケットＰ１（挿入部）が形成されている（図１０，１１参照）。
【００４１】
パッド１Ｃの前後端部８，９は、コア４の両端縁４ａから縦方向内方へ向かって延びている。前後端部８，９は、その大部分が裏面シート３の部分から形成されている。前後端部８，９では、コア４の両端縁４ａから縦方向内方へ表面シート２の部分がわずかに延び、表面シート２の部分からさらに縦方向内方へ裏面シート３の部分が延びている。前後端部８，９では、表裏面シート２，３の部分が互いに重なり合い、部分においてそれらシート２，３の内面どうしが固着されている。
【００４２】
パッド１Ｃの両側部１０は、コア４の両側縁４ｂから横方向内方へ向かって延びている。両側部１０は、その大部分が裏面シート３の部分から形成されている。両側部１０では、コア４の両側縁４ｂから横方向内方へ表面シート２の部分がわずかに延び、表面シート２の部分からさらに横方向内方へ裏面シート３の部分が延びている。両側部１０では、表裏面シート２，３の部分が互いに重なり合い、部分においてそれらシート２，３の内面どうしが固着されている。
【００４３】
パッド１Ｃの前後端部８，９と両側部１０とは、コア４の上方に位置してコア４の周囲を囲む周壁２５を形成している。周壁２５には、その周方向へ実質的に環状を画く複数条の伸縮性弾性部材２６が収縮可能に取り付けられている。それら弾性部材２６は、周壁２５の周方向外方から周方向内方へ向かって所与寸法離間して並び、所定の倍率に伸長させた状態で周壁２５に取り付けられている。弾性部材２６は、裏面シート３を形成する不織布２８とフィルム２９との間に介在し、それらに固着されている。周壁２５は、弾性部材２６の収縮力によってコア４の上方で周方向へ収縮かつ周方向内方へ狭窄している。コア４の周囲と周壁２５との間には、パッド１Ｃの周方向内方へ向かって開口するポケットＰ２が形成されている。
【００４４】
前域５と中間域６の前半分６ａとでは、そこに位置するコア４の厚み寸法が中間域６の後半分６ｂと後域７とに位置するコア４のそれよりも大きく、コア４の肌当接側から上方への隆起高さが中間域６の後半分６ｂと後域７とに位置するコア４の肌当接側から上方へのそれよりも大きい。前域５や中間域６の前半分６ａにおけるコア４の隆起高さ（厚み寸法）を中間域６の後半分６ｂや後域７におけるコア４のそれよりも大きくするには、コア４を形成するパルプや合成樹脂繊維、ポリマーの分量を中間域６の後半分６ｂや後域７よりも前域５や中間域６の前半分６ａで多くすればよい。なお、前域５や中間域６の前半分６ａでは、そこに位置するコア４の密度が中間域６の後半分６ｂや後域７に位置するコア４のそれよりも高いことが好ましい。前域５や中間域６の前半分６ａにおけるコア４の密度を中間域６の後半分６ｂや後域７におけるコア４のそれよりも高くするには、コア４を形成するパルプや合成樹脂繊維の密度を中間域６の後半分６ｂや後域７よりも前域５や中間域６の前半分６ａで高くすればよい。
【００４５】
中間域６には、表面シート２を内側にしてパッド１Ｃを縦方向へ２つに折り畳むための折曲案内部２７が形成されている。案内部２７は、中間域６の縦方向中央に位置して横方向へ延びている。案内部２７では、そこに位置するコア４の厚み寸法が中間域６の案内部２７を除くコア４の残余の部位のそれよりも小さく、案内部２７におけるコア４の剛性がコア４の残余の部位のそれよりも低い。折曲案内部２７に位置するコア４の密度は、中間域６の残余の部位に位置するコア４のそれと同一であってもよく、中間域６の残余の部位に位置するコア４のそれより低くてもよい。案内部２７におけるコア４の密度を残余の部位のおけるコア４のそれよりも低くするには、コア４を形成するパルプや合成樹脂繊維の密度を残余の部位よりも案内部２７で低くすればよい。
【００４６】
図１２は、使用状態にあるパッド１Ｃの斜視図である。パッド１Ｃを使用するには、使用者２０がポケットＰ１（挿入部）に手２１を入れ、中間域６が股間部２３に位置するように、パッド１Ａの表面シート２を自分の肌にあてがう。なお、このパッド１Ｃの廃棄処理手順は、図１のパッド１Ａのそれと同一であり、その説明は省略する。
【００４７】
パッド１Ｃは、前域５が使用者２０の腹部２２の側に当接し、後域７が使用者２０の臀部２４の側に当接するとともに、中間域６が使用者２０の股間部２３に当接する。使用者２０は、パッド１Ｃをあてがった状態で排尿する。尿は、表面シート２を透過してコア４に吸収、保持される。パッド１Ｃは、それを肌にあてがったときに、パッド１Ｃが折曲案内部２７を介して縦方向へ２つ折りになるので、前域５を腹部２２に後域７を臀部２４に容易に密着させることができる。パッド１Ｃは、それを廃棄するときに、折曲案内部２７を介してパッド１Ｃを縦方向へ容易に折り畳むことができる。
【００４８】
パッド１Ｃは、それを使用者２０自身が自分の肌にあてがうので、パッド１Ｃを排尿位置に密着させることができ、尿をパッド１Ｃに確実に吸収させることができる。使用者２０は、ポケットＰ１に手２１を入れてパッド１Ｃを保持することができるので、肌にあてがったパッド１Ｃが股間部２３から不用意に落ちてしまうことはない。
【００４９】
パッド１Ｃは、その使用にパンツを利用する必要はなく、ポケットＰ１に手２１を入れてパッド１Ｃを肌にあてがうだけなので、パッド１Ｃの使用が簡単であるとともに、パッド１Ｃ単独での使用が可能である。パッド１Ｃでは、外側シート１１に表裏面シート２，３の色調と異なる色調の着色が施され、かつ、兎の顔のイラストが印刷されているので、使用者２０が肌にあてがうべき面（表面シート２）を間違えることはなく、さらに、ポケットＰ１の存在を容易に認識することができる。
【００５０】
パッド１Ｃは、尿が表面シート２の外面を拡散してコア４の周囲に達したとしても、尿がコア４の周囲と周壁２５との間に形成されたポケットＰ２に収容されるので、尿がパッド１Ｃの前後端部８，９や両側部１０から外側に漏れてしまうことはない。パッド１Ｃは、前域５と中間域６の前半分６ａとに位置するコア４の肌当接側から上方への隆起高さ（厚み寸法）が中間域６の後半分６ｂと後域７とに位置するコア４の肌当接側から上方へのそれよりも大きく、パッド１Ｃに多量の尿が排泄されたとしても、前域５と中間域６の前半分６ａとに位置するコア４に排泄された多量の尿を吸収させることができる。
【００５１】
図１３は、他の一例として示す体液吸収パッド１Ｄの斜視図であり、図１４，１５は、図１３のＸＩＶ−ＸＩＶ線矢視断面図と、図１３のＸＶ−ＸＶ線矢視断面図とである。図１３では、縦方向を矢印Ｘ、横方向を矢印Ｙで示し、厚み方向を矢印Ｚで示す。
【００５２】
パッド１Ｄは、透液性表面シート２および不透液性裏面シート３と、それらシート２，３の間に介在する吸液性コア４とから構成されている。パッド１Ｄは、縦方向に前後域５，７および中間域６を有し、コア４の両端縁４ａの外側に位置して横方向へ延びる前後端部８，９と、コア４の両側縁４ｂの外側に位置して縦方向へ延びる両側部１０とを有する。
【００５３】
パッド１Ｄには、裏面シート３の外面を覆う外側シート１１が取り付けられている。コア４は、図１のそれと同一のものであり、パッド１Ｄの前後域５，７間に延び、表裏面シート２，３の内面に接合されている。裏面シート３は、疎水性繊維不織布２８と通気不透液性プラスチックフィルム２９とをラミネートした複合シートが使用されている。
【００５４】
外側シート１１は、中間域６に配置されている。外側シート１１には、弾性的な伸縮性を有する疎水性繊維不織布が使用されている。外側シート１１の色調は、表裏面シート２，３の色調と同一である。外側シート１１は、パッド１Ｄの両側部１０に沿って縦方向へ延びる固定両側部１４と、固定両側部１４の間に位置する自由部１６とを有する。固定両側部１４は、コア４の両側縁４ｂ近傍に固着されている。固定両側部１４では、外側シート１１の内面が裏面シート３の外面に固着されている。自由部１６は、裏面シート３に固着されておらず、裏面シート３から遊離している。裏面シート３と外側シート１１の自由部１６との間には、パッド１Ｄの使用者２０がその手２１を入れることが可能な大きさの挿入部１７が形成されている（図１４，１５参照）。
【００５５】
パッド１Ｄの前後端部８，９は、コア４の両端縁４ａから縦方向内方へ向かって延びている。前後端部８，９は、コア４の両端縁４ａから縦方向内方へ延びる表裏面シート２，３の部分から形成されている。前後端部８，９では、表裏面シート２，３の部分が互いに重なり合い、部分においてそれらシート２，３の内面どうしが固着されている。
【００５６】
パッド１Ｄの両側部１０は、コア４の両側縁４ｂから横方向内方へ向かって延びている。両側部１０は、コア４の両側縁４ｂから横方向内方へ延びる表裏面シート２，３の部分から形成されている。両側部１０では、表裏面シート２，３の部分が互いに重なり合い、部分においてそれらシート２，３の内面どうしが固着されている。
【００５７】
パッド１Ｄの前後端部８，９と両側部１０とは、コア４の上方に位置してコア４の周囲を囲む周壁２５を形成している。周壁２５には、その周方向へ実質的に環状を画く複数条の伸縮性弾性部材２６が収縮可能に取り付けられている。それら弾性部材２６は、所定の倍率に伸長させた状態で周壁２５に取り付けられている。弾性部材２６は、裏面シート３を形成する不織布２８とフィルム２９との間に介在し、それらに固着されている。周壁２５は、弾性部材２６の収縮力によってコア４の上方で周方向へ収縮かつ周方向内方へ狭窄している。コア４の周囲と周壁部２５との間には、パッド１Ｄの周方向内方へ向かって開口するポケットＰ２が形成されている。
【００５８】
中間域６には、表面シート２を内側にしてパッド１Ｄを縦方向へ２つに折り畳むための折曲案内部２７が形成されている。案内部２７は、中間域６の縦方向中央に位置して横方向へ延び、コア４を除く表面シート２と裏面シート３とから形成されている。案内部２７では、表裏面シート２，３の内面どうしが固着されていてもよく、表裏面シート２，３の内面どうしが固着されていなくてもよい。案内部２７には、コア４が存在しないので、案内部２７におけるパッド１Ｄの剛性が案内部２７を除くパッド１Ｄの残余の部位のそれよりも低い。
【００５９】
このパッド１Ｄを使用するには、図１２と同様に、使用者２０が挿入部１７に手２１を入れ、中間域６が股間部２３に位置するように、パッド１Ｄの表面シート２を肌にあてがう。なお、このパッドの廃棄処理手順は、図６のそれらと同一であり、その説明は省略する。
【００６０】
パッド１Ｄは、前域５が使用者２０の腹部２２の側に当接し、後域７が使用者２０の臀部２４の側に当接するとともに、中間域６が使用者２０の股間部２３に当接する。使用者２０は、パッド１Ｄをあてがった状態で排尿する。尿は、表面シート２を透過してコアに吸収、保持される。パッド１Ｄは、それを肌にあてがったときに、パッド１Ｄが折曲案内部２７を介して縦方向へ２つ折りになるので、前域５を腹部２２に後域７を臀部２４に容易に密着させることができる。パッド１Ｄは、それを廃棄するときに、折曲案内部２７を介してパッド１Ｄを縦方向へ容易に折り畳むことができる。
【００６１】
パッド１Ｄは、それを使用者２０自身が自分の肌にあてがうので、パッド１Ｄを排尿位置に密着させることができ、尿をパッド１Ｄに確実に吸収させることができる。使用者２０は、挿入部１７に手２１を入れてパッド１Ｄを保持することができるので、肌にあてがったパッド１Ｄが股間部２３から不用意に落ちてしまうことはない。
【００６２】
パッド１Ｄは、その使用にパンツを利用する必要はなく、挿入部１７に手２１を入れてパッド１Ｄを肌にあてがうだけなので、パッド１Ｄの使用が簡単であるとともに、パッド１Ｄ単独での使用が可能である。パッド１Ｄは、尿が表面シート２の外面を拡散してコア４の周囲に達したとしても、尿がコア４の周囲と周壁２５との間に形成されたポケットＰ２に収容されるので、尿がパッド１Ｄの前後端部８，９や両側部１０から外側に漏れてしまうことはない。
【００６３】
表面シート２には、親水性繊維不織布、多数の開孔を有する疎水性繊維不織布、微細な多数の開孔を有するプラスチックフィルムのいずれかを使用することができる。パッド１Ａ，１Ｂの裏面シート３には、疎水性繊維不織布、通気不透液性プラスチックフィルム、疎水性繊維不織布どうしをラミネートした複合不織布、疎水性繊維不織布と通気不透液性プラスチックフィルムとをラミネートした複合シートのいずれかを使用することができる。パッド１Ｃ，１Ｄの裏面シート３には、疎水性繊維不織布、通気不透液性プラスチックフィルム、疎水性繊維不織布どうしをラミネートした複合不織布のいずれかを使用することもできる。不織布には、スパンレース、ニードルパンチ、メルトブローン、サーマルボンド、スパンボンド、ケミカルボンドの各製法により製造されたものを使用することができる。外側シート１１には、親水性繊維不織布や通気不透液性プラスチックフィルム、伸縮性プラスチックフィルムのいずれかを使用することもできる。
【００６４】
裏面シート３や外側シート１１には、高い耐水性を有するメルトブローン法による繊維不織布の少なくとも片面に、高い強度と良好な柔軟性とを有するスパンボンド法による繊維不織布を重ね合わせた複合不織布（ＳＭ不織布またはＳＭＳ不織布）を使用することもできる。
【００６５】
親水性繊維不織布は、親水化処理が施された合成繊維、半合成繊維、再生繊維のうちのいずれか、または、それら繊維を混合した複合繊維から作ることができる。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。疎水性繊維不織布は、合成繊維から作ることができる。疎水性繊維不織布には、撥水処理が施された半合成繊維や再生繊維が含まれていてもよい。
【００６６】
伸縮性繊維不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。伸縮性繊維不織布には、熱可塑性エラストマー樹脂繊維からなる伸縮性かつ疎水性繊維不織布の少なくとも片面に、熱可塑性合成樹脂を溶融、紡糸した捲縮繊維からなる疎水性繊維不織布を重ね合わせた複合不織布を使用することもできる。
【００６７】
高吸収性ポリマーには、デンプン系、セルロース系、合成ポリマー系のものを使用することができる。高吸収性ポリマーは、粒子状または繊維状のものを使用することができる。
【００６８】
表裏面シート２，３どうしの固着、裏面シート３に対する外側シート１１の固着、表裏面シート２，３に対するコア４の接合、表裏面シート２，３に対する弾性部材１２，２６の固着には、接着剤、または、ヒートシールやソニックシール等の熱による溶着手段を利用することができる。接着剤には、ホットメルト型接着剤やアクリル系接着剤、ゴム系接着剤を使用することができる。接着剤は、表裏面シート２，３の内面にスパイラル状やジグザグ状、ドット状、縞状のうちのいずれかの態様で塗布されていることが好ましい。
【００６９】
図１のパッド１Ａでは、図６のそれと同様に、外側シート１１が位置するコア４の部位に外側シート１１の周縁に沿って表面シート２の側へ向かって隆起する隆起部１７が形成されていてもよい。また、図１，９のパッド１Ａ，１Ｃは、外側シート１１が弾性的な伸縮性を有する繊維不織布から形成されていてもよい。図１，６のパッド１Ａ，１Ｂでは、中間域６の縦方向中央に折曲案内部２７が形成されていてもよい。一方、図９，１３のパッド１Ｃ，１Ｄでは、中間域６に折曲案内部２７が形成されていなくてもよい。
【００７０】
図６，１３のパッド１Ｂ，１Ｄは、外側シート１１に表裏面シート２，３の色調と異なる色調の着色が施されていてもよく、外側シート１１にイラストや文字、図形、記号等の表示要素１３が形成されていてもよい。パッド１Ｂ，１Ｄの外側シート１１に着色が施されるとともに表示要素１３が形成されると、使用者２０が肌にあてがうべき面（表面シート２）を間違えることはなく、挿入部１７の存在を容易に認識することができる。
【００７１】
図１３のパッド１Ｄは、図９のそれと同様に、前域５と中間域６の前半分６ａとに位置するコア４の厚み寸法が中間域６の後半分６ｂと後域７に位置するコア４のそれよりも大きく、前域５と中間域６の前半分６ａとに位置するコア４の肌当接側から上方への隆起高さが中間域６の後半分６ｂと後域６に位置するコア４の肌当接側から上方へのそれより大きくてもよい。
【００７２】
【発明の効果】
本発明にかかる使い捨て体液吸収パッドによれば、使用者自身が挿入部（ポケット）に手を入れてパッドを自分の肌にあてがうので、パッドを排尿位置に正確に密着させることができ、尿をパッドに確実に吸収させることができる。使用者は、挿入部に手を入れてパッドを保持することができるので、肌にあてがったパッドが股間部から不用意に落ちてしまうことはない。
【００７３】
このパッドは、従来技術のそれと異なり、パンツを介してパッドを肌に密着させる必要はない。このパッドは、その使用にパンツを利用する必要はなく、挿入部に手を入れてパッドを肌にあてがうだけなので、パッドの使用が簡単であることはもちろん、パッド単独での使用が可能である。
【００７４】
コアの周囲を囲む弾性的に伸縮可能な周壁を有するパッドは、コアの周囲と周壁との間にパッドの周方向内方へ向かって開口するポケットが形成されるので、尿が表面シートの外面を拡散してコアの周囲に達したとしても、尿がポケットに収容され、尿がパッドの前後端部や両側部から外側に漏れてしまうことはない。
【００７５】
前域と中間域の前半分とに位置するコアの肌当接側から上方への隆起高さが中間域の後半分と後域とに位置するコアの肌当接側から上方へのそれよりも大きいパッドは、それに多量の尿が排泄されたとしても、前域と中間域の前半分とに位置するコアに排泄された多量の尿を吸収させることができ、尿の中間域の後半分と後域とへの流動を防ぐことができる。
【００７６】
中間域に横方向へ延びる折曲部が形成されたパッドは、パッドを肌にあてがったときに、パッドが折曲案内部を介して縦方向へ２つ折りになるので、前域を腹部に後域を臀部に容易に密着させることができる。このパッドは、それを廃棄するときに、折曲案内部を介してパッドを縦方向へ容易に折り畳むことができる。
【００７７】
外側シートが位置するコアの部位に隆起部が形成されたパッドでは、隆起部が尿に対する障壁となり、排泄された尿のパッドの外側への漏れを防ぐことができる。
【００７８】
外側シートに表裏面シートとは異なる色調の着色が施されたパッドまたは外側シートが所定の表示要素を有するパッドでは、使用者がパッドの肌にあてがうべき面（表面シート）を間違えることはなく、さらに、挿入部（ポケット）の存在を容易に認識することができる。
【図面の簡単な説明】
【図１】一例として示す体液吸収パッドの部分破断斜視図。
【図２】図１のＩＩ−ＩＩ線矢視断面図。
【図３】図１のＩＩＩ−ＩＩＩ線矢視断面図。
【図４】使用状態にあるパッドの斜視図。
【図５】廃棄するために折り畳まれた使用後のパッドの斜視図。
【図６】他の一例として示す体液吸収パッドの部分破断斜視図。
【図７】図６のＶＩＩ−ＶＩＩ線矢視断面図。
【図８】図６のＶＩＩＩ−ＶＩＩＩ線矢視断面図。
【図９】他の一例として示す体液吸収パッドの斜視図。
【図１０】図９のＸ−Ｘ線矢視断面図。
【図１１】図９のＸＩ−ＸＩ線矢視断面図。
【図１２】使用状態にあるパッドの斜視図。
【図１３】他の一例として示す体液吸収パッドの斜視図。
【図１４】図１３のＸＩＶ−ＸＩＶ線矢視断面図。
【図１５】図１３のＸＶ−ＸＶ線矢視断面図。
【符号の説明】
１Ａ          使い捨て体液吸収パッド
１Ｂ          使い捨て体液吸収パッド
１Ｃ          使い捨て体液吸収パッド
１Ｄ          使い捨て体液吸収パッド
２            透液性表面シート
３            不透液性裏面シート
４            吸液性コア
４ａ          両端縁
４ｂ          両側縁
５            前域
６            中間域
６ａ          前半分
６ｂ          後半分
７            後域
８            前端部
９            後端部
１０            両側部
１１            外側シート
１２            伸縮性弾性部材
１３            表示要素
１４            固定両側部
１５            固定端部
１６            自由部
１７            挿入部
１８            隆起部
２５            周壁
２６            伸縮性弾性部材
２７            折曲案内部
Ｐ１            ポケット（挿入部）
【図１】
2004174209.tif 000003
【図２】
2004174209.tif 000004
【図３】
2004174209.tif 000005
【図４】
2004174209.tif 000006
【図５】
2004174209.tif 000007
【図６】
2004174209.tif 000008
【図７】
2004174209.tif 000009
【図８】
2004174209.tif 000010
【図９】
2004174209.tif 000011
【図１０】
2004174209.tif 000012
【図１１】
2004174209.tif 000013
【図１２】
2004174209.tif 000014
【図１３】
2004174209.tif 000015
【図１４】
2004174209.tif 000016
【図１５】
2004174209.tif 000017